(57)【特許請求の範囲】
【請求項１】
側溝ブロックの所定部位に取り付けられる導水用取付金具であって、
板材を鉤状に折曲成形してなる上面と側面を有し、前記上面の内側端に折曲成形された折曲部と前記側面の下側端より傾設された延出部を設け、
前記上面および前記側面のそれぞれに導水孔を開設したことを特徴とする導水用取付金具。
【請求項２】
前記上面及び前記側面の鉤状の角部に設けた導水孔は、前記上面及び前記側面の双方に開口することを特徴とする請求項１記載の導水用取付金具。
【請求項３】
前記延出部は、前記側溝ブロックのコンクリート材に埋設される埋設領域として設定したことを特徴とする請求項１または２記載の導水用取付金具。
【請求項４】
前記上面、前記側面及び前記折曲部の両側縁部と前記側面の下部位に、前記側溝ブロックのコンクリート材と密着する密着領域を設定したことを特徴とする請求項１〜３のいずれか１項記載の導水用取付金具。
【請求項５】
前記埋設領域及び前記密着領域に、前記側溝ブロックのコンクリート材が充填されるようにした複数の通穴を設けたことを特徴とする請求項４記載の導水用取付金具。
【請求項６】
前記側面の下側端より傾設された延出部が、側面に対して４５°に形成されていることを特徴とする請求項１記載の導水用取付金具。
【請求項７】
その所定部位に請求項１〜６のいずれか１項記載の導水用取付金具が取り付けられることを特徴とする側溝ブロック。
【発明の詳細な説明】
【技術分野】
【０００１】
本発明は、側溝ブロックに取り付けて効率よく排水するために使用する導水用取付金具、及びこれを装着した側溝ブロックに関する。
【背景技術】
【０００２】
降雨時等に舗装道路等においては、その路面に水溜まりが発生する場合、走行車両等に対して危険であり、そのような水溜まりの発生を防止し、あるいは迅速に排水する必要がある。
従来、舗装道路では雨水等を迅速に路肩に設置された排水溝に集水・排水するための種々の工夫が施されている。
【０００３】
その例としては、例えば特許文献１には、道路舗装材に対面する側溝ブロックの側壁または上壁に形成された所定の大きさの孔部または切欠部に装着されるとともに、２つの側溝ブロックに跨って装着されることでそれらを連結するようにした導水用部材が開示されている。
或いはまた特許文献２には、路面排水用側溝その他のコンクリート部の側辺の一部にポーラスコンクリートによる透水部を設けて集水するようにした路面排水用コンクリート部体が開示されている。
【０００４】
【特許文献１】特許第２９８７５７５号公報
【特許文献２】特開平１０−１３１２６９号公報
【発明の開示】
【発明が解決しようとする課題】
【０００５】
しかしながら、このような従来の導水用部材等においては、側溝ブロックに取付固定するためにアンカやボルト等の固定手段を使用する必要があり、しかもこれら別部品を用いるため部品点数が多くなる。
また小物の割りに構造的に複雑であること等から、製造の工数が増える等の問題があった。
更に実使用においては、例えば側溝ブロックを道路を横断するように配設した場合に、走行する車両等からの衝撃荷重等による負荷を受け易く、強度耐久性を確保するのが必ずしも容易でなかった。
【０００６】
本発明はかかる実情に鑑み、比較的簡易な構造の強度耐久性等に優れた導水用取付金具を提供すること、及びこれを装着した側溝ブロックを提供することを目的とする。
【課題を解決するための手段】
【０００７】
本発明者は、このような問題点を背景に鋭意研究した結果、一枚の板状のものを単に曲げ折り加工することで簡単な構造でしかも強度的に優れた導水用取付金具を得ることができたものである。
【０００８】
すなわち本発明は、（１）、側溝ブロックの所定部位に取り付けられる導水用取付金具であって、板材を鉤状に折曲成形してなる上面と側面を有し、前記上面の内側端に折曲成形された折曲部と前記側面の下側端より傾設された延出部を設け、前記上面および前記側面のそれぞれに導水孔を開設した導水用取付金具に存する。
【０００９】
また、本発明は、（２）、前記上面及び前記側面の鉤状の角部に設けた導水孔は、前記上面及び前記側面の双方に開口する上記（１）記載の導水用取付金具に存する。
【００１０】
また、本発明は、（３）、前記延出部は、前記側溝ブロックのコンクリート材に埋設される埋設領域として設定した上記（１）または（２）に記載の導水用取付金具に存する。
【００１１】
また、本発明は、（４）、前記上面、前記側面及び前記折曲部の両側縁部と前記側面の下部位に、前記側溝ブロックのコンクリート材と密着する密着領域を設定した上記（１）〜（３）のいずれか１項に記載の導水用取付金具に存する。
【００１２】
また、本発明は、（５）、前記埋設領域及び前記密着領域に、前記側溝ブロックのコンクリート材が充填されるようにした複数の通穴を設けた上記（４）に記載の導水用取付金具に存する。
【００１３】
また、本発明は、（６）、前記側面の下側端より傾設された延出部が、側面に対して４５°に形成されている上記（１）記載の導水用取付金具に存する。
【００１４】
また、本発明は、（７）、その所定部位に上記（１）〜（６）のいずれか１項に記載の導水用取付金具が取り付けられる側溝ブロックに存する。
【００１５】
なお、本発明の目的に添ったものであれば、上記発明を適宜組み合わせた構成も採用可能である。
【発明の効果】
【００１６】
本発明によれば、導水用取付金具は簡単な一枚板が鉤状に屈曲された立体的構造を有ししていることから単体でも高い剛性強度が確保される。
また、導水用取付金具は、埋設領域が側溝ブロックのコンクリート材中に埋設されるため、側溝ブロックとの結合強度が大幅に強化される。
【００１７】
また、密着領域において、側溝ブロックのコンクリート材と密着し、埋設領域及び密着領域に設けた通穴に側溝ブロックのコンクリート材が充填される。
これらにより側溝ブロックとの結合強度が強化されるばかりか、導水用取付金具に対する高い支持剛性が得られる。
特に延出部である埋設領域の通孔は、これを通じて両側のコンクリートが相通じるために結合強度を極めて大きくできる。
【００１８】
実際に設置された場合、導水孔は上面から側面に跨って形成されているため、主に地表水を上方及び側方から導水する。
また、側面の導水孔は地中水を導水し、これらにより雨水等を効率よく導水して排水溝に迅速に集水・排水することができる。
【発明を実施するための最良の形態】
【００１９】
以下、図面に基づき、本発明による導水用取付金具及びこれを装着した側溝ブロックの好適な実施の形態を説明する。
図１は、本発明の実施形態における導水用取付金具１０を示している。
また、図２は正面図、図３は側断面図、図４は上面図及び底面図である。
導水用取付金具１０は、後述するように側溝ブロック１００の所定部位に取り付けられるが、一枚の鋼板（例えば、ＳＳ材等）をプレス加工することにより折曲成形してなるものであり、側溝ブロックと一体的に結合することで導水機能を発揮する。
【００２０】
導水用取付金具１０はその基本構成において、鉤状に折曲成形してなる上面（上壁部）１１と側面（側壁部）１２を有し、上面１１の内側端に折曲成形された折曲部１３と側面１２の下側端より傾設された延出部１４とを備える。
上面１１及び側面１２のそれぞれには導水孔１５、導水孔１６が開設されており、折曲部１３には一定の広さの切欠部１３ａが形成されている。
このうち上面１１の導水孔１５は、複数個、平行に並んで形成され、また側面１２の導水孔１６は、複数個、複数列に形成されている。
【００２１】
ここで導水用取付金具１０を備える対象となる側溝ブロック１００について述べると、図６に示すように、側溝ブロック１００は、例えば門型を呈し、梁部１０１の一部に開口部１０２が開設されている。
この開口部１０２には、図示しない蓋、例えばコンクリート製の蓋や金属製の格子状蓋（通常「グレーチング」という）が被せられるようになっており、開口部１０２の開口縁の適所に導水用取付金具１０を装着するための取付部１０３が設定される。
【００２２】
なお、この取付部１０３は、型枠を使って側溝ブロック１００に導水用取付金具１０をインサート成形する際、必然的に形成されるものである。
導水用取付金具１０は、このようにインサート成形されるかたちで、側溝ブロック１００と一体的に強く結合する。
なお、前述した切欠部１３ａは、開口部１０２に蓋が被せられた場合に、その蓋上から流れ込む雨水等の落下をし易くする機能もある。
【００２３】
導水用取付金具１０において、導水孔１５は上面１１及び側面１２の鉤状の角部に設けられており、上面１１及び側面１２の双方に開口する。
この例では上面１１の導水孔１５は矩形状（長方形）となっており、上面１１から側面１２に跨って形成されている。
また、側面１２に形成された導水孔１６は、適度なピッチ間隔で上下及び左右（幅方向）に列設されている。
【００２４】
導水用取付金具１０が実際に側溝ブロック１００に取り付けられた際、上面１１は略水平方向に、側面１２は略垂直方向に配置されるようになっている。
【００２５】
図３に示される施工例のように、折曲部１３は適度に外側寄りに傾斜して略垂直に、また、延出部１４は側面１２に対して内側に傾斜して（好適にはθ；４５°前後傾斜して）配置される。
この場合、折曲部１３が外側寄りに傾斜しているのは、製造時に型枠に導水用取付金具１０を仮固定しておく場合に、導水用取付金具１０が型枠の間に挿入された際、折曲部１３により弾圧力を発揮することができる理由からである（すなわち、型枠の間に挿入された場合、側面１２と折曲部１３とで弾圧力を生じる）。
導水用取付金具１０は、概略変形「Ｃ」の字状もしくは略変形「コ」の字状の断面形状を有する。
因みにこの断面形状により強度が十分発揮できる。
【００２６】
また、導水用取付金具１０において、延出部１４（側面１２の下部位を含む）には図１に示されるように、側溝ブロック１００のコンクリート材に埋設される埋設領域１７が設定される。
この埋設領域１７は、側溝ブロック１００のコンクリート内にインサート成形されるものである。
【００２７】
また、上面１１、側面１２及び折曲部１３の両側縁部と側面１２の下部位には、それぞれ、側溝ブロック１００のコンクリート材と密着する密着領域１８Ａ，１８Ｂが設定される。
この密着領域１８の内面側には側溝ブロック１００の製造時にインサート成形によりコンクリート材が流し込まれるようになっており、そのため密着領域１８の内面側がコンクリートに密に接する状態となる。
【００２８】
また、延出部である埋設領域１７、及び折曲部１３と側面１２の両側縁部の密着領域１８には、インサート成形により側溝ブロック１００のコンクリート材が充填されるようにした複数の通穴、すなわち通穴１９Ａ１、通穴１９Ａ２、通穴１９Ａ３が設けられている。
また側面１２の下部位の密着領域１８にも一つの通穴１９Ｂが設けられる。
なお、この通穴１９Ｂは、側溝ブロック１００を型枠を使って導水用取付金具１０をインサート成形する際、該導水用取付金具１０を型枠に共に仮止めさせておくための図示しない止め具を挿入する際に使用するものである。
因みに導水用取付金具１０自体の折曲部１３がよっても型枠への弾圧力に寄与していることは既に述べた。
【００２９】
さて導水用取付金具１０は鋼板を用いてプレス成形により折曲成形することで、立体的構造を備えた形状に簡単に製造でき、これにより先述したように導水用取付金具１０単体でも高い剛性強度が確保される。
また、導水用取付金具１０は、図６に示されるように、側溝ブロック１００の取付部１０３に一体的に取り付けられる。
この場合、埋設領域１７は、側溝ブロック１００のコンクリート材中に埋設されるため、側溝ブロック１００との結合強度が大幅に強化される。
【００３０】
特に、図５（ｂ）に示したように延出部１４全体がコンクリート材中に埋設され、しかも側面１２に対して、この場合、角度θ；４５°に傾斜している。
これにより延出部１４は両側から均等に、且つ一定深さに対して埋設長さを最大とするように埋設されるので、側溝ブロック１００の限定されたスペース内で有効に結合強度を確保することができる。
【００３１】
また、上面１１、側面１２及び折曲部１３の両側縁部と側面１２の下部位に設定した密着領域１８Ａ，１８Ｂにおいて、導水用取付金具１０の裏側は側溝ブロック１００のコンクリート材と密着する。
さらに、埋設領域１７及び密着領域１８Ａと密着領域１８Ｂに設けた通穴１９Ａ１、通穴１９Ａ２、通穴１９Ａ３には、側溝ブロック１００のコンクリート材が充填される。
同様に、通穴１９Ｂにもコンクリート材が充填される。
そのために通穴を介して両側のコンクリート材が相通じて一体化される構造となる。
これらにより側溝ブロック本体と側溝ブロック１００との結合強度が強化されるばかりか、導水用取付金具１０に対する高い支持剛性が得られるのである。
したがって、例えば道路を走行する車両等からの衝撃荷重等による負荷を受けた場合でも、導水用取付金具１０が側溝ブロック１００から剥がれて脱落するのを抑止し、耐久性を大幅に向上させることができる。
【００３２】
実際に施工されて、例えば図３のように道路１の路肩等に設置された場合、導水用取付金具１０はその周囲に透水性舗装部２が施されると共に、路面と略同一高さで設置される。
導水孔１５は上面１１から側面１２に跨って形成されているため、主に地表水を上方及び側方から導水し、また、導水孔１６は地中水を導水し、これらにより雨水等を効率よく導水して排水溝に迅速に集水・排水することができる。
【００３３】
ここで、導水用取付金具１０としては、種々の変形例があるが、そのうちの幾つかを図７及び図８に示す。
【００３４】
図７に示す導水用取付金具１０は、切り欠き部を備えず、折曲部１３を連続する板状にした場合である。
【００３５】
また図８に示す導水用取付金具１０は、通穴の形や数が異なる例を示す。
本発明の導水用取付金具１０においては、いずれのものも、埋設領域１７及び密着領域１８Ａ，１８Ｂを有することから、側溝ブロック１００に対する一定の結合強度が確保されるものであり、また通穴１９（１９Ａ１、１９Ａ２、１９Ａ３、１９Ｂ）を有するためにその結合強度が更に増強される。
【００３６】
以上、本発明を実施形態とともに説明したが、本発明はこれらの実施形態にのみ限定されるものではなく、本発明の範囲内で変更等が可能である。
例えば、折曲部、上面、側面、延出部等の相互の広さの比率は自由であり、また導水孔１５，１６の個数、大きさ等も、適宜増減することができる。
【図面の簡単な説明】
【００３７】
【図１】図１は、本発明の実施形態における導水用取付金具を示すそれぞれ斜視図である。
【図２】図２は、本発明の実施形態における導水用取付金具の正面図である。
【図３】図３は、本発明の実施形態における導水用取付金具の作用を示す部分側断面図である。
【図４】図４は、本発明の実施形態における導水用取付金具の上面図及び底面図である。
【図５】図５は、本発明の実施形態における導水用取付金具を装着した側溝ブロックの正面図及び断面図である。
【図６】図６は、本発明の実施形態における側溝ブロックの例を示す斜視図である。
【図７】図７は、本発明の実施形態における導水用取付金具の変形例を示す斜視図である。
【図８】図８は、本発明の実施形態における導水用取付金具の他の変形例を示す斜視図である。
【符号の説明】
【００３８】
１０    導水用取付金具
１１    上面
１２    側面
１３    折曲部
１３ａ  切欠部
１４    延出部
１５    導水孔
１６    導水孔
１７    埋設領域
１８Ａ，１８Ｂ    密着領域
１９Ａ（１９Ａ１，１９Ａ２，１９Ａ３）  通穴
１９Ｂ  通穴
１００    側溝ブロック
１０１    梁部
１０２    開口部
１０３    取付部
【図１】
0004445453.tif 000002
【図２】
0004445453.tif 000003
【図３】
0004445453.tif 000004
【図４】
0004445453.tif 000005
【図５】
0004445453.tif 000006
【図６】
0004445453.tif 000007
【図７】
0004445453.tif 000008
【図８】
0004445453.tif 000009